(57)【特許請求の範囲】
【請求項１】
記憶装置を搭載するためのトレイアセンブリーであって、
前記記憶装置を搭載する搭載盤と、
前記搭載盤に摺動可能に接続され、前記搭載盤がベースフレームに対して第１の位置と第２の位置との間を摺動することを許容し、また、ロック部を備える前記ベースフレームと、
前記ベースフレームに枢接された取っ手と、
両端が前記搭載盤と前記取っ手に別々に枢接されたコンロッドと、
を具備し、
前記取っ手が前記ベースフレームに対して回転して、前記搭載盤を連動して前記第１の位置まで摺動させると、前記搭載盤が前記ベースフレームに搭載され、前記取っ手が前記ロック部とロックされるようになり、前記取っ手が前記ベースフレームに対して回転して、前記搭載盤を連動して前記第２の位置まで摺動させると、前記搭載盤が前記ベースフレームに対して反るようになるトレイアセンブリー。
【請求項２】
前記搭載盤は、第１のガイド構造を備え、
前記ベースフレームは、
前記ロック部に接続された底板と、
前記第１のガイド構造と摺動可能に接続する第２のガイド構造を有し、前記底板に接続される第１の側壁と、を更に備える請求項１に記載のトレイアセンブリー。
【請求項３】
前記第１のガイド構造は、ガイドブロックであり、前記第２のガイド構造は、ガイド溝である請求項２に記載のトレイアセンブリー。
【請求項４】
前記第２のガイド構造は、
第１のガイド方向に沿って形成された第１のガイドセクションと、
前記第１のガイドセクションに接続され、前記第１のガイドセクションと前記ロック部との間に位置し、第２のガイド方向に沿って形成され、前記第２のガイド方向と前記第１のガイド方向との間で角度をなす第２のガイドセクションと、を含む請求項２又は３に記載のトレイアセンブリー。
【請求項５】
前記第１のガイド方向は、前記底板と実質的に相互に平行であり、前記第２のガイド方向は、前記ロック部に向かって前記底板から離れる請求項４に記載のトレイアセンブリー。
【請求項６】
前記搭載盤は、
前記記憶装置に当接する搭載板と、
前記搭載板に接続され、その上に前記第１のガイド構造がある少なくとも１つの側板と、を更に備える請求項２〜５のいずれか一項に記載のトレイアセンブリー。
【請求項７】
前記搭載盤は、
前記搭載板に設けられており、前記記憶装置の位置決め穴と相互に係合するための位置決め部を更に備える請求項６に記載のトレイアセンブリー。
【請求項８】
前記ベースフレームは、底板と、前記底板に接続された第２の側壁と、を更に備え、
前記取っ手は、
前記第２の側壁に枢接された支点と、
前記支点に接続され、第１の長さを有する第１のレバーアームと、
前記支点に接続され、前記コンロッドに枢接され、前記第１の長さより短い第２の長さを有する第２のレバーアームと、
前記第１のレバーアームに接続されたハンドルと、を備え、前記取っ手は、前記ハンドルで前記ロック部とロックされる請求項１〜７のいずれか一項に記載のトレイアセンブリー。
【請求項９】
前記第１のレバーアームは、
前記ハンドルが前記ロック部にロックされる場合、前記記憶装置に当接する押圧部を含む請求項８に記載のトレイアセンブリー。
【発明の詳細な説明】
【技術分野】
【０００１】
本発明は、トレイアセンブリーに関し、特に、記憶装置を搭載するためのトレイアセンブリーに関する。
【背景技術】
【０００２】
現在、使用者のコンピュータの記憶容量に対する要求が高まるにつれて、同時に用いられるハードディスクの数も益々多くなっている。従って、業界では、使用者により複数のハードディスクを同時に取り付けて使用することのできるハードディスク用引き出し式ケースが研究・開発された。一般的に、このようなハードディスク用引き出し式ケースでは、使用者により個別のハードディスクを取り付け・取り外しすることが可能であり、また使用者によりハードディスクを随時に取り替え、更に、即時に引き出してメンテナンスすることができる。従って、使用者は、時間や場所によってハードディスクを交換し、又は異なる需要に応じて複数のハードディスクを増設することができる。
【発明の概要】
【発明が解決しようとする課題】
【０００３】
従来、ハードディスクをハードディスク用引き出し式ケースに取り付けるには、使用者は、予めハードディスクをねじで個別のブラケットにロックしてから、ブラケットをねじでハードディスク用引き出し式ケースに個別にロックしなければならなかった。この取り付け・取り外しの過程において、好適な工具を用いる必要があり、相当の時間がかかり、なお、更に不注意でねじをハードディスク用引き出し式ケース中に落として様々な手間がかかってしまう場合があるため、ハードディスクを取り付け・取り外すたびに、使用者に大きな不便を与えてしまう。
【課題を解決するための手段】
【０００４】
本発明の一技術態様は、使用者が如何なる別の工具も使用せずに、簡単で容易に記憶装置を記憶装置用引き出し式ケース中に取り付け、これから取り外すことを可能にするトレイアセンブリーを提供することにある。
【０００５】
本発明の一実施形態によると、記憶装置を搭載するためのトレイアセンブリーであって、記憶装置を搭載する搭載盤と、搭載盤に摺動可能に接続され、搭載盤がベースフレームに対して第１の位置と第２の位置との間を摺動することを許容し、また、ロック部を備えるベースフレームと、ベースフレームに枢接された取っ手と、両端が搭載盤と取っ手に別々に枢接されたコンロッドと、を具備し、取っ手がベースフレームに対して回転して、搭載盤を連動して第１の位置まで摺動させると、搭載盤がベースフレームに搭載され、取っ手がロック部とロックされるようになり、取っ手がベースフレームに対して回転して、搭載盤を連動して第２の位置まで摺動させると、搭載盤がベースフレームに対して反るようになるトレイアセンブリーである。
【０００６】
本発明の１つ又は複数の実施形態において、前記搭載盤は、第１のガイド構造を備え、ベースフレームは、ロック部に接続された底板と、第１のガイド構造と摺動可能に接続する第２のガイド構造を有し、底板に接続される第１の側壁と、を更に備える。
【０００７】
本発明の１つ又は複数の実施形態において、前記第１のガイド構造は、ガイドブロックであり、第２のガイド構造は、ガイド溝である。
【０００８】
本発明の１又は複数の実施形態において、前記第２のガイド構造は、第１のガイド方向に沿って形成された第１のガイドセクションと、第１のガイドセクションに接続され、第１のガイドセクションとロック部との間に位置し、第２のガイド方向に沿って形成され、第２のガイド方向と第１のガイド方向との間で角度をなす第２のガイドセクションと、を含む。
【０００９】
本発明の１又は複数の実施形態において、前記第１のガイド方向は、底板と実質的に相互に平行であり、第２のガイド方向は、ロック部に向かって底板から離れる。
【００１０】
本発明の１又は複数の実施形態において、前記搭載盤は、記憶装置に当接する搭載板と、搭載板に接続され、その上に第１のガイド構造がある少なくとも１つの側板と、を更に備える。
【００１１】
本発明の１又は複数の実施形態において、前記搭載盤は、搭載板に設けられており、記憶装置の位置決め穴と相互に係合するための位置決め部を更に備える。
【００１２】
本発明の１又は複数の実施形態において、前記ベースフレームは、底板と、底板に接続された第２の側壁と、を更に備え、取っ手は、第２の側壁に枢接された支点と、支点に接続され、第１の長さを有する第１のレバーアームと、支点に接続され、コンロッドに枢接され、第１の長さより短い第２の長さを有する第２のレバーアームと、第１のレバーアームに接続されたハンドルと、を備え、取っ手は、ハンドルでロック部とロックされる。
【００１３】
本発明の１又は複数の実施形態において、前記第１のレバーアームは、ハンドルがロック部にロックされる場合、記憶装置に当接する押圧部を含む。
【発明の効果】
【００１４】
本発明の上記実施形態は、周知の従来の技術と比較して、少なくとも以下のメリットを有する。
（１）本発明の上記実施形態では、取っ手がベースフレームに対して回転して、搭載盤を連動して第１の位置まで摺動させると、搭載盤がベースフレームに搭載され、取っ手がロック部とロックされるため、搭載盤は、第１の位置に固定されることができる。これに対応して、搭載盤に搭載された記憶装置も固定される。従って、使用者は、如何なる別の工具も使用せずに、簡単で容易に記憶装置をトレイアセンブリー中に搭載し固定することができる。実際に適用する場合、トレイアセンブリーが記憶装置用引き出し式ケース中に固定されるため、つまり、記憶装置は、記憶装置用引き出し式ケース中に簡単で容易に固定されることができる。
【００１５】
（２）本発明の上記実施形態では、取っ手がベースフレームに対して回転して、搭載盤を連動して第２の位置まで摺動させると、搭載盤は、使用者が直接に搭載盤から記憶装置を取り（又は記憶装置を搭載盤に配置し）やすくするために、ベースフレームに対して反るようになるため、使用者は、如何なる別の工具も使用せずに、簡単で容易に記憶装置をトレイアセンブリーから取り外すことができる。
【００１６】
（３）取っ手が第１のレバーアームと、第１の長さより短い第２の長さを有する第２のレバーアームと、を備えるため、搭載盤を、ベースフレームに対して第１の位置と第２の位置との間を摺動させる際に、使用者により取っ手に加えた力は、取っ手によりテコの原理によって搭載盤に加えられることができ、これにより、使用者が搭載盤を動かす時に力を省く効果を与えることができる。
【図面の簡単な説明】
【００１７】
【図１】本発明の一実施形態によるトレイアセンブリーを示す斜視図であり、記憶装置がトレイアセンブリーから離れる。
【図２】図１に示したトレイアセンブリーを示す側面図であり、搭載盤が記憶装置を搭載し、第２の位置まで摺動する。
【図３】図１に示したトレイアセンブリーを示す側面図であり、搭載盤が記憶装置を搭載し、第１の位置まで摺動する。
【発明を実施するための形態】
【００１８】
以下、図面で本発明の複数の実施形態を開示し、明らかに説明するために、数多くの実際の細部を下記叙述で合わせて説明する。しかしながら、理解すべきなのは、これらの実際の細部が、本発明を制限するためのものではない。つまり、本発明の実施形態の一部において、これらの実際の細部は、必須なものではない。また、図面を簡略化するために、ある従来慣用の構造及び素子は、図面において簡単で模式的に示される。
【００１９】
別に定義されない限り、本文に用いられているあらゆる用語（技術及び科学術語を含む）は、当業者に明らかな、一般的な意味を持つ。更には、上記の用語の一般的によく用いられている辞典における定義は、本明細書の内容において、本発明の関連分野と一致している意味と解釈されるはずである。特に明らかに定義されない限り、これらの用語は、理想的又は正式の意味とは解釈されない。
【００２０】
図１は、本発明の一実施形態によるトレイアセンブリー１００を示す斜視図であり、記憶装置２００がトレイアセンブリー１００から離れる。図２は、図１に示したトレイアセンブリー１００を示す側面図であり、搭載盤１１０が記憶装置２００を搭載し、第２の位置まで摺動する。図３は、図１に示したトレイアセンブリー１００を示す側面図であり、搭載盤１１０が記憶装置２００を搭載し、第１の位置まで摺動する。図１〜図３に示すように、トレイアセンブリー１００は、記憶装置２００を搭載するためのものであって、記憶装置２００を搭載する搭載盤１１０と、搭載盤１１０に摺動可能に接続され、搭載盤１１０がベースフレーム１２０に対して第１の位置と第２の位置との間を摺動することを許容し、また、ロック部１２１を備えるベースフレーム１２０と、ベースフレーム１２０に枢接された取っ手１３０と、両端が搭載盤１１０と取っ手１３０に別々に枢接されたコンロッド１４０と、を具備し、取っ手１３０がベースフレーム１２０に対して回転して、搭載盤１１０を連動して第１の位置まで摺動させると、搭載盤１１０がベースフレーム１２０に搭載され、取っ手１３０がロック部１２１とロックされ、取っ手１３０がベースフレーム１２０に対して回転して、搭載盤１１０を連動して第２の位置まで摺動させると、搭載盤１１０がベースフレーム１２０に対して反るようになる。
【００２１】
つまり、取っ手１３０がロック部１２１とロックされる場合、即ち、搭載盤１１０が第１の位置まで摺動される場合、記憶装置２００は、トレイアセンブリー１００中に搭載され固定される。一般的には、トレイアセンブリー１００は、記憶装置用引き出し式ケース（不図示）中に取り付けられるため、搭載盤１１０が第１の位置まで摺動される場合、記憶装置２００を記憶装置用引き出し式ケースに取り付ける工程も同時に完了する。これに対して、搭載盤１１０が第２の位置まで摺動される場合、記憶装置２００を記憶装置用引き出し式ケースから取り外す工程も同時に完了し、搭載盤１１０は、使用者が直接に搭載盤１１０から記憶装置２００を取り付け（又は記憶装置２００を搭載盤１１０に配置し）やすくするために、ベースフレーム１２０に対して反るようになる。従って、使用者は、取っ手１３０を直接に動かすだけで、搭載盤１１０を第１の位置又は第２の位置まで摺動させ、即ち、記憶装置２００を記憶装置用引き出し式ケースに取り付け、又は記憶装置用引き出し式ケースから取り外すことができる。このように、取り付け又は取り外しのいずれの場合でも、過程において簡単で容易に行うことができ、使用者は、取り付け・取り外しの過程において如何なる別の補助工具を用いる必要もない。実際的な適用において、記憶装置２００は、ハードディスクであってよく、記憶装置用引き出し式ケースは、ハードディスク用引き出し式ケース又はコンピュータシャーシであってよいが、本発明は、これらに限定するものではない。
【００２２】
図１〜３に示すように、搭載盤１１０は、記憶装置２００に当接する搭載板１１２と、搭載板１１２に接続され、その上に第１のガイド構造１１１がある側板１１３と、を備える。
【００２３】
これに対して、ベースフレーム１２０は、底板１２２と、第１のガイド構造１１１と摺動可能に接続する第２のガイド構造１２４を有し、底板１２２に接続される第１の側壁１２３と、を備える。このように、搭載盤１１０の第１の位置と第２の位置との間での摺動経路は、第１のガイド構造１１１と第２のガイド構造１２４によるガイドに制限される。
【００２４】
設計の簡略化を考慮すると、本実施形態において、第１のガイド構造１１１は、ガイドブロックであり、第２のガイド構造１２４は、これと対応するガイド溝である。
【００２５】
逆に、他の実施形態において、第１のガイド構造１１１は、ガイド溝であって、第２のガイド構造１２４は、これと対応するガイドブロックであってもよい。しかしながら、理解すべきなのは、以上で挙げられた第１のガイド構造１１１及び第２のガイド構造１２４の形態は、例示にすぎないが、本発明を制限するものではなく、当業者であれば、実際の需要に応じて、第１のガイド構造１１１及び第２のガイド構造１２４の形態を適宜に設計すべきである。
【００２６】
本実施形態における第２のガイド構造１２４をガイド溝として説明する。図２〜図３に示すように、第２のガイド構造１２４は、第１のガイド方向Ｄ１に沿って形成された第１のガイドセクション１２４ａと、第１のガイドセクション１２４ａに接続され、第１のガイドセクション１２４ａとロック部１２１との間に位置し、第２のガイド方向Ｄ２に沿って形成された第２のガイドセクション１２４ｂと、を含む。本実施形態において、第２のガイド方向Ｄ２と第１のガイド方向Ｄ１との間で角度θをなす。角度θにより、搭載盤１１０が、第１の位置と第２の位置との間で摺動することが許容される場合、ベースフレーム１２０に対する角度が変化してもよい。
【００２７】
更には、本実施形態において、第１のガイド方向Ｄ１は、底板１２２と実質的に相互に平行であり、第２のガイド方向Ｄ２は、ロック部１２１に向かって底板１２２から離れる。つまり、搭載盤１１０は、第１の位置まで摺動される場合、底板１２２と実質的に相互に平行であり、これにより、搭載盤１１０に搭載された記憶装置２００の記憶装置用引き出し式ケース中への取り付けに寄与する。逆に、搭載盤１１０は、第２の位置まで摺動される場合、使用者が搭載盤１１０から記憶装置２００を取り（又は記憶装置２００を搭載盤１１０に配置し）やすくするために、第２のガイドセクション１２４ｂの第２のガイド方向Ｄ２によるガイドに対応して、ロック部１２１に向かって底板１２２から離れて傾くようになる。一方、第２のガイドセクション１２４ｂは、更に弧形となり、即ち、第２のガイド方向Ｄ２がアーク線であってもよいが、本発明は、これに限定するものではない。
【００２８】
図１を参照されたい。図１に示すように、搭載盤１１０は、搭載板１１２に設けられており、記憶装置２００の位置決め穴（不図示）と相互に係合するための位置決め部１１４を備える。２つ以上の位置決め部１１４が記憶装置２００の位置決め穴に相互に係合される場合、記憶装置２００と搭載盤１１０との相対位置が固定されることができる。
【００２９】
図１〜図３に示すように、ベースフレーム１２０は、底板１２２に接続された第２の側壁１２５を備える。取っ手１３０は、第２の側壁１２５に枢接された支点１３１と、支点１３１に接続され、第１の長さＬ１を有する第１のレバーアーム１３２と、支点１３１に接続され、コンロッド１４０に枢接され、第１の長さＬ１より短い第２の長さＬ２を有する第２のレバーアーム１３３と、ハンドル１３４と、を備える。このように、搭載盤１１０を、ベースフレーム１２０に対して第１の位置と第２の位置との間を摺動させる際に、使用者により取っ手１３０に加えた力は、取っ手１３０によりテコの原理によって搭載盤１１０に加えられることができ、これにより、使用者が搭載盤１１０を動かす時に力を省く効果を与えることができる。なお、ハンドル１３４は、第１のレバーアーム１３２に接続される。取っ手１３０は、ハンドル１３４でロック部１２１とロックされる。ロック部１２１は、底板１２２に接続される。
【００３０】
図１〜図３に示すように、第１のレバーアーム１３２は、押圧部１３５を含む。図３に示すように、ハンドル１３４がロック部１２１にロックされ、即ち、搭載盤１１０が第１の位置まで摺動される場合、記憶装置２００が搭載盤１１０から離れないようにするために、第１のレバーアーム１３２の押圧部１３５は、記憶装置２００に対応して当接して、記憶装置２００と搭載盤１１０との相対位置を固定することができる。
【００３１】
要するに、本発明の技術方案は、従来の技術と比較して、明確なメリット及び有益な効果を有する。上記技術方案によって、相当の技術的進歩を達成することができ、産業上の利用価値が高く、少なくとも以下のメリットを有する。
（１）本発明の上記実施形態では、取っ手がベースフレームに対して回転して、搭載盤を連動して第１の位置まで摺動させると、搭載盤がベースフレームに搭載され、取っ手がロック部とロックされるため、搭載盤は、第１の位置に固定されることができる。これに対応して、搭載盤に搭載された記憶装置も固定される。従って、使用者は、如何なる別の工具も使用せずに、簡単で容易に記憶装置をトレイアセンブリー中に搭載し固定することができる。実際に適用する場合、トレイアセンブリーが記憶装置用引き出し式ケース中に固定されるため、つまり、記憶装置は、記憶装置用引き出し式ケース中に簡単で容易に固定されることができる。
【００３２】
（２）本発明の上記実施形態では、取っ手がベースフレームに対して回転して、搭載盤を連動して第２の位置まで摺動させると、搭載盤は、使用者が直接に搭載盤から記憶装置を取り（又は記憶装置を搭載盤に配置し）やすくするために、ベースフレームに対して反るようになるため、使用者は、如何なる別の工具も使用せずに、簡単で容易に記憶装置をトレイアセンブリーから取り外すことができる。
【００３３】
（３）取っ手が第１のレバーアームと、第１の長さより短い第２の長さを有する第２のレバーアームと、を備えるため、搭載盤を、ベースフレームに対して第１の位置と第２の位置との間を摺動させる際に、使用者により取っ手に加えた力は、取っ手によりテコの原理によって搭載盤に加えられることができ、これにより、使用者が搭載盤を動かす時に力を省く効果を与えることができる。
【００３４】
本発明を実施形態で前述の通り開示したが、これは本発明を限定するためのものではなく、当業者であれば、本発明の精神と範囲から逸脱しない限り、多様の変更や修正を加えることができる。従って、本発明の保護範囲は、後の特許請求の範囲で指定した内容を基準とする。
【符号の説明】
【００３５】
１００  トレイアセンブリー
１１０  搭載盤
１１１  第１のガイド構造
１１２  搭載板
１１３  側板
１１４  位置決め部
１２０  ベースフレーム
１２１  ロック部
１２２  底板
１２３  第１の側壁
１２４  第２のガイド構造
１２４ａ  第１のガイドセクション
１２４ｂ  第２のガイドセクション
１２５  第２の側壁
１３０  取っ手
１３１  支点
１３２  第１のレバーアーム
１３３  第２のレバーアーム
１３４  ハンドル
１３５  押圧部
１４０  コンロッド
２００  記憶装置
Ｄ１  第１のガイド方向
Ｄ２  第２のガイド方向
Ｌ１  第１の長さ
Ｌ２  第２の長さ
θ  角度
【図１】
0005973505.tif 000002
【図２】
0005973505.tif 000003
【図３】
0005973505.tif 000004